(57)【要約】【課題】たとえ停電時においても簡単に食器等を出し入れすることができ、また、昇降棚自体を簡単に取り外して洗浄可能な使い勝手に優れた電動式昇降キャビネットを提供する。【解決手段】前面に扉を設けた外キャビネット２０と、外キャビネットに垂直上下方向に昇降して上限位置で外キャビネットに収納される昇降棚３０と、昇降棚を垂直上下方向に昇降させる昇降装置４０と、昇降棚の昇降に連動して扉１０を開閉する開閉手段１００とを備えた電動昇降キャビネットであって、開閉手段は、リンク部１０１と、保持部１５０とからなり、保持部が扉裏面に設けられかつリンク部は外キャビネットに取付けられ、保持部は、リンク部の扉側端部を上方から挿入可能とする挿入部１５１を有している。【選択図】図２
2007215640.tif 000002
【特許請求の範囲】
【請求項１】
前面に扉を設けた外キャビネットと、前記外キャビネットが被取付け対象物に取付けられた状態において当該外キャビネットに対して垂直上下方向に昇降可能とすると共に上昇に伴って当該外キャビネットに収納されていく昇降棚と、前記昇降棚を垂直上下方向に昇降させる昇降装置と、前記昇降棚の降下に応じて前記扉を開く開閉手段と、を備えた電動昇降キャビネットにおいて、
前記開閉手段は、前記扉裏側に取付けられた保持部と、前記外キャビネットに取付けられ前記保持部と着脱可能に係合するリンク部からなり、前記保持部は、前記リンク部の扉側端部を上方から挿入可能とするリンク係合用の挿入部を有することを特徴とする電動昇降キャビネット。
【請求項２】
前記リンク部は、前記外キャビネットの側板に設けられた回動軸に回動可能に取付けられると共に、前記リンク部の扉と反対側端部には、前記昇降棚の側板に設けられた引掛け部材と着脱可能に係合する係合引掛け部が形成され、前記昇降棚が外キャビネットからの下降中に前記リンク部の係合引掛け部と前記昇降棚の引っ掛け部材との係合が解除されるようになったことを特徴とする、請求項１に記載の電動昇降キャビネット。
【発明の詳細な説明】
【技術分野】
【０００１】
本発明は、キッチンの壁等に取付けられ、昇降棚が下降しかつキャビネットに備わった扉が開いて食器等を昇降棚から出し入れすると共に、昇降棚に食器等を収容した後は昇降棚が上昇して昇降棚ごとキャビネットに収納される電動昇降キャビネットに関する。
【背景技術】
【０００２】
従来からキッチンの壁等に取付けられ、昇降棚が下降しかつキャビネットに備わった扉が開いて食器等を昇降棚から出し入れすると共に、昇降棚に食器等を収容した後は昇降棚が上昇して昇降棚ごとキャビネットに収納される電動昇降キャビネットは知られている（例えば、特許文献１参照）。
【０００３】
このような従来型の電動昇降キャビネットは、建物上部の壁に取付けられたキャビネットに電動式昇降機構によって上下動する昇降棚を備え、キャビネットの前面には昇降棚の上下動に伴って開閉する扉を備えている。なお、扉は、その上方部がヒンジを介してキャビネットに開閉可能に取付けられると共に、移動規制部材によって昇降棚の最大上昇時に完全に閉じるようになっている。
【特許文献１】特開２００５−２１２９７号公報（３−６頁、図１）
【発明の開示】
【発明が解決しようとする課題】
【０００４】
かかる特許文献１に記載の電動昇降キャビネットは、昇降棚に備わった移動規制部材であるリンク機構の先端が扉に備わったブラケットとピンを介して完全に連結されている。即ち、扉とキャビネットがリンク機構によって完全に連結しており、扉の最大開き角度が規制され、所定の開き角度以上に扉が開かないようになっている。
【０００５】
そして、例えば昇降棚が上限位置に達してキャビネット内に収納されたときに停電となり、昇降装置のモータが動かなくなった場合、昇降棚に対して扉は停電の間中限られた開度でしか開かないので、昇降棚内に収容した食器を取り出せなくなる。この際、この特許文献に記載の電動昇降キャビネットでは、リンクとブラケットの連結部に挿し込まれたスナップピンを引き抜いた後、両者を連結している支点ピンを抜き外す作業を左右両側のリンクとブラケットの係合部において行わなければならない。しかしながら、このような複雑な作業を例えば夜間停電時の暗い室内でライトを照らしながら左右のリンクとブラケット間で行うことはかなりの苦痛と困難を伴う。
【０００６】
また、この特許文献１に記載の電動昇降キャビネットは、昇降棚と扉がリンク機構で完全に接続されているので、昇降棚をキャビネットから取り外して昇降棚のみを洗浄するような場合、扉と昇降棚との接続部をなす昇降棚のリンクと扉のブラケットを左右とも上述の停電時と同様の要領で取り外さなければならず、面倒である。また、昇降棚の洗浄が終わった後にキャビネットに昇降棚を装着する際にも、昇降棚のリンクと扉のブラケットがちょうど合致するように昇降棚を持ち上げたままリンクとブラケットを位置合わせし、支点ピンを押し込んでスナップピンを挿し込む複雑な取付け作業を左右の各リンクとブラケット間において行わなければならず、作業性が極めて悪い。
【０００７】
本発明の目的は、たとえ停電時においても簡単に食器等を出し入れすることができ、また、昇降棚自体を簡単に取り外して洗浄可能な使い勝手に優れた電動昇降キャビネットを提供することにある。
【課題を解決するための手段】
【０００８】
上述した課題を解決するために、本発明にかかる電動昇降キャビネットは、
前面に扉を設けた外キャビネットと、前記外キャビネットが被取付け対象物に取付けられた状態において当該外キャビネットに対して垂直上下方向に昇降可能とすると共に上昇に伴って当該外キャビネットに収納されていく昇降棚と、前記昇降棚を垂直上下方向に昇降させる昇降装置と、前記昇降棚の降下に応じて前記扉を開く開閉手段と、を備えた電動昇降キャビネットにおいて、
前記開閉手段は、前記扉裏側に取付けられた保持部と、前記外キャビネットに取付けられ前記保持部と着脱可能に係合するリンク部からなり、前記保持部は、前記リンク部の扉側端部を上方から挿入可能とするリンク係合用の挿入部を有することを特徴としている。
【０００９】
リンク部の扉側端部を上方から挿入可能とする挿入部を保持部が有することで、リンク部を保持部から挿入部を介して外すことができる。その結果、例えば停電時などにおいて昇降棚が上限位置で外キャビネットに収納されたままとなってしまっていても、これらの間に介在した締結具等の連結部品を取り外すことなくリンク部を保持部から外して扉を開き、昇降棚内の収容物を容易に出し入れできる。従って、一般使用者に加えて高齢者や手先の不自由な者にとって特に使い勝手が良い電動昇降キャビネットとすることができる。
【００１０】
また、本発明の請求項２に記載の電動式昇降キャビネットは、請求項１に記載の電動式昇降キャビネットにおいて、
前記リンク部は、前記外キャビネットの側板に設けられた回動軸に回動可能に取付けられると共に、前記リンク部の扉と反対側端部には、前記昇降棚の側板に設けられた引掛け部材と着脱可能に係合する係合引掛け部が形成され、前記昇降棚が外キャビネットからの下降中に前記リンク部の係合引掛け部と前記昇降棚の引っ掛け部材との係合が解除されるようになったことを特徴としている。
【００１１】
昇降棚が外キャビネットからの下降中にリンク部の扉と反対側端部と引っ掛け部材との係合が解除することで、下端に達した昇降棚を外キャビネットから容易に取り外すことができ、昇降棚自体の洗浄等を行い易くする。
【発明の効果】
【００１２】
本発明によると、たとえ停電時においても簡単に食器等を出し入れすることができ、また、昇降棚自体を簡単に取り外して洗浄可能な使い勝手に優れた電動式昇降キャビネットを提供することができる。
【発明を実施するための最良の形態】
【００１３】
以下、本発明の一実施形態にかかる電動昇降キャビネットについて図面に基づいて説明する。本発明の一実施形態にかかる電動昇降キャビネット１は、例えばキッチンの壁等に取付けられるようになっており、図１及び図２に示すように、前面に扉１０（図２参照）を備えた外キャビネット２０と、外キャビネット２０の裏板２２が壁Ｗ（図２において一部図示し、他の図については図示省略）に取り付けられた状態で外キャビネット２０に対して垂直上下方向に昇降すると共に上昇に伴って外キャビネット２０に収納されていく昇降棚３０と、昇降棚３０を垂直上下方向に昇降させる昇降装置４０と、昇降棚３０の昇降に連動して扉１０を開閉する開閉機構１００（図２参照）と、を備えている。
【００１４】
外キャビネット２０は天板２１、裏板２２、両側板２３からなり、前方及び底部が開口した箱体をなしている。そして、天板２１の前方にはヒンジ部１１（図２参照）を介して扉１０が開閉可能に取付けられ、扉１０は閉じた際に外キャビネット２０の前方開口部を覆うようになっている。
【００１５】
また、両側板２３の内側には昇降棚３０の昇降を案内するガイド２４が上下方向にそれぞれ延在した状態で備わっている。
【００１６】
また、天板下面にはその幅方向中央部に後述する昇降装置４０の昇降モータ４１が備わっている。
【００１７】
また、裏板２２の内側面上部には昇降モータ４１に隣接して制御ボックス４２が備わり、裏板２２の内側面上部両端には定滑車固定板４３を介して定滑車４８が備わっている。また、両側板２３の内側面には後述する開閉機構１００のリンクベース１３０が固定されている（図２参照）。また、扉１０の裏側両端には開閉機構１００の保持部１５０がそれぞれキャビネット内に突出するように固定されている。
【００１８】
昇降棚３０は、本実施形態の場合前方が開口した２段構造の箱体をなし、各段部に図示しない仕切り金具が多数併設されて一度に多くの食器等を並べて収容可能としている。また、昇降棚３０は、昇降装置４０によって上限部まで上昇した際に外キャビネット２０の内部に完全収納される大きさを有している。
【００１９】
また、昇降棚３０が外キャビネット２０に収納された状態で昇降棚３０の側板３３と外キャビネット２０の側板２３との間には一定の空間が形成され（図１の空間Ａ参照）、扉１０に固定された保持部１５０、外キャビネット２０の側板２３に取付けられたリンクベース１３０及び第１リンク１１０、第２リンク１２０、同じく外キャビネット２０の側板２３に取付けられたガイド２４、昇降棚３０の側板３３に突出形成された引っ掛けピン３５をこの空間内に受け入れるようになっている。
【００２０】
また、昇降棚３０の底板下面には操作部５０が備わっている。操作部５０には、図３に示すように、電動昇降キャビネット１の電源スイッチ５１と、昇降棚３０の上昇スイッチ５２及び下降スイッチ５３が備わっている。
【００２１】
昇降棚３０を外キャビネット２０に対して昇降させる昇降装置４０は、図１に示すように、昇降モータ４１、巻取りドラム４５、ベルト４６、定滑車４８及び動滑車４９等によって構成されている。
【００２２】
そして、外キャビネット２０の天板２１に上述したように昇降モータ４１と巻取りドラム４５が固定され、外キャビネット２０の裏板２２に制御ボックス４２が固定されると共に定滑車固定板４３を介して定滑車４８が取付けられている。また、スライドプレート３４が昇降棚３０の上板両端部に取付けられ、ガイド２４に沿って上下方向に摺動するようになっている。また、スライドプレート３４には連結プレート３９が備わり、連結プレート３９に動滑車４９が回動自在に固定されている。
【００２３】
また、巻取りドラム４５は、図示しないギアボックスを介して昇降モータ４１の先端に取付けられている。巻取りドラム４５は例えば断面視で半円状の半割り形状をなし、その間にベルト４６の中間部が挟み込まれて、巻取りドラム４５を巻取る際は巻取りドラム４５を正回転させてベルト４６が左右均等に巻取ると共に、巻取りドラム４５に巻かれたベルト４６を送り出す場合は、巻取りドラム４５を逆回転させて巻取りドラム４５から左右均等にベルト４６を送り出すようになっている。
【００２４】
また、ベルト４６の先端は定滑車固定板４３の定滑車４８に隣接した位置に備わったベルト固定ピン２８に連結されている。
【００２５】
また、ベルト４６の定滑車４８とベルト固定ピン２８との間には動滑車４９が掛けられており、昇降モータ４１がベルト４６を緩める方向に駆動すると、動滑車４９を備えた連結プレート３９と一体のスライドプレート３４がガイド２４に摺接しながら下降するようになっている。
【００２６】
そして、昇降棚３０は、この連結プレート３９を介して昇降装置４０に連結されると共にスライドプレート３４を介してガイド２４に摺接しながら外キャビネット２０に対して安定した昇降を行うようになっている。
【００２７】
なお、昇降棚３０を昇降させるに際して、具体的には、操作部５０の下降スイッチ５３を押すと図示しない信号線を介して制御ボックス４２に信号が送られ、制御ボックス４２はこの信号を読み取り、図示しないケーブルを介して昇降モータ４１に正転の信号を送り、昇降モータ４１が正転して巻取りドラム４５からベルト４６を繰り出して昇降棚３０を下降させ、操作部５０の上昇スイッチ５２を押すと、昇降棚３０の下降時とは逆に昇降モータ４１が逆転して巻取りドラム４５がベルト４６を巻取って昇降棚３０を上昇させるようになっている。
【００２８】
また、上昇スイッチ５２は一度押されると昇降棚３０は完全に収納された状態（図１の状態）まで上昇するように制御ボックス４２で制御されている。
【００２９】
開閉機構１００は、図４及び図５に拡大して示すように、扉裏側に取付けられた保持部１５０と、外キャビネット２０に取付けられ、保持部１５０と着脱可能に係合するリンク機構１０１からなる。
【００３０】
保持部１５０は例えば金属板でできた異型Ｃ字形の板体からなり、一端が折り曲げられて扉１０への取付け部１５９をなし、この取付け部１５９を介して扉１０にねじ等の締結具で固定されている。
【００３１】
また、保持部１５０のキャビネット内に突出した部分にはリンク機構１０１の扉側端部に備わった押し出しピン１１１を上方から挿入可能とする挿入開口部１５１と、挿入開口部１５１に連なってこの挿入開口部１５１から扉側に向かって扉面にほぼ直交する向きで延在するガイドスリット１５２が形成されている。
【００３２】
そして、後述するリンク機構１０１の第１リンク１１０の扉側端部に備わった押し出しピン１１１が挿入開口部１５１から進入し、ガイドスリット１５２に係合しながらガイドスリット１５２の扉側端部に移動可能となっている。
【００３３】
リンク機構１０１は、扉側に備わり僅かに湾曲した板体からなる第１リンク１１０と、下側に「への字」状に折れ曲がった板体からなり第１リンク１１０の扉反対側端部と連結回動軸１２６を介して一端が回動自在に連結した第２リンク１２０とからなる。
【００３４】
そして、第２リンク１２０の折れ曲がった中央部は外キャビネット２０に固定されたリンクベース１３０の回動軸１３１に回動自在に取付けられている。また、第２リンク１２０の扉と反対側端部には、昇降棚３０の側壁に形成された引っ掛けピン３５に着脱可能に係合する係合切り欠き部１２５が形成されている。
【００３５】
リンクベース１３０は例えば金属でできた若干縦長の矩形状をなす板体からなり、外キャビネット２０の側板内側面に固定され、上端扉側縁部が昇降棚３０に向かって僅かに折り曲げられてストッパ１３６を形成し、第２リンク１２０の扉側上縁部と係合して第２リンク１２０の扉と反対側半部に関する下向きの回転を規制するようになっている（図５参照）。
【００３６】
また、第２リンク１２０の扉と反対側半部とリンクベース１３０の下側部は、引っ張りバネ１４０で接続され、第２リンク１２０の係合切り欠き部１２５と昇降棚３０の引っ掛けピン３５との係合が解除すると、引っ張りバネ１４０の復元力によって第２リンク１２０がリンクベース１３０のストッパ１３６に当たるまで回転するようになっている。これによって、昇降棚３０の上昇時に第２リンク１２０の係合切り欠き部１２５が昇降棚３０の引っ掛けピン３５を受け入れる向きに待機する共に、第２リンク１２０の扉側半部と第１リンク１１０とがほぼ直線状をなすように突っ張り、第１リンク１１０の押し出しピン１１１を保持部１５０のガイドスリット１５２の扉側端部に移動させるようになっている。
【００３７】
続いて、本発明の一実施形態にかかる電動昇降キャビネット１の使用方法及びその作用について説明する。
【００３８】
図２は、本発明の一実施形態にかかる電動昇降キャビネット内部を側方から見た図で、昇降棚３０が上限位置にあり外キャビネット２０に収納された状態を示している。
【００３９】
この状態で使用者は昇降棚３０の底板下面に備わった操作部５０の下降スイッチ５３を押す。この下降スイッチ５３を押している間、制御ボックス４２の制御により昇降モータ４１が駆動し、巻取りドラム４５が回転して左右のベルト４６が巻取りドラム４５から均等に送り出される（図１参照）。
【００４０】
左右のベルト４６が巻取りドラム４５から繰り出されることで、左右の動滑車４９が下方に移動し、この動滑車４９の備わった連結プレート３９を介して昇降棚３０も下降する。
【００４１】
なお、昇降棚３０の下降中に、操作部５０の下降スイッチ５３の押圧を止めると、その瞬間に昇降モータ４１も停止して昇降棚３０の下降を停止する。
【００４２】
昇降棚３０の下降中、昇降棚３０の左右のスライドプレート３４がキャビネット内側のガイド２４に夫々摺動しているので、昇降棚３０を滑らかに下降させることができる。
【００４３】
昇降棚３０が下降すると、図４から図５に示すように昇降棚３０の側板外側に固定されている引っ掛けピン３５も下降する。引っ掛けピン３５が下降すると、第２リンク１２０はリンクベース１３０との回動軸１３１を中心に図４中時計回りに回転し、やがては引っ掛けピン３５が第２リンク１２０の係合切り欠き部１２５から外れ、その後、第２リンク１２０は引っ張りバネ１４０の復元力でリンクベース１３０の上端に備わったストッパ１３６に当接する位置まで回転する（図５参照）。
【００４４】
これに伴って、第１リンク１１０と第２リンク１２０の連結回動軸１２６が図５に示すように上方向に移動し、これに伴って第１リンク１１０は第２リンク１２０の扉側半部と共に突っ張った配置になる。
【００４５】
その結果、第１リンク１１０の押し出しピン１１１が保持部１５０のガイドスリット１５２の扉側端部に移動し、この押し出しピン１１１によって保持部１５０が扉１０を開く方向に押し、保持部１５０を介して扉１０が押し出されることになる。
【００４６】
扉１０は、その上部がヒンジ部１１によって外キャビネット２０の天板２１に回動自在に固定されているため、開閉機構１００によって扉１０は押し出されて一定の開度で開くようになる。
【００４７】
図６は昇降棚３０がある程度下降すると共に扉１０が開閉機構１００を介して開いた状態を示しており、下降スイッチ５３を押し続けることにより、図６に示す状態から昇降棚３０が更に下降する。扉１０が所定の角度だけ開いた状態のまま昇降棚３０が外キャビネット２０から下方にある程度突出した下限位置に達すると、制御ボックス４２からの制御信号により昇降棚３０の下降を停止する。
【００４８】
昇降棚３０は、外キャビネット２０から完全に下方に飛び出していないが、扉１０がある程度開いているので、使用者は昇降棚３０の前面開口部と扉１０の隙間から昇降棚３０に収容された食器等を取り出すことができる。このように昇降棚３０が外キャビネット２０から完全に下方に飛び出さない状態で昇降棚３０に収容された食器等の出し入れを行うことができるので、電動昇降キャビネット１の昇降棚下降時の全長を抑えることができ、昇降棚下方の例えばキッチンテーブル周りの調理スペースを十分に確保することができる。
【００４９】
このようにして昇降棚３０から食器等を取り出した後、例えば使用済みの食器等を再び昇降棚３０に収容し、昇降棚３０の底板下面に備わった操作部５０の上昇スイッチ５２を指で押す。
【００５０】
これによって、制御ボックス４２の制御を介して昇降モータ４１の回転が反転し、巻取りドラム４５が左右のベルト４６を巻取り、これに応じて動滑車４９が引き上げられると共にこの動滑車４９の備わった連結プレート３９と一体のスライドプレート３４がガイド２４と摺動しながら昇降棚３０が上昇する。この昇降棚３０の上昇に関しては、一旦上昇スイッチ５２を押すと上限位置まで昇降棚３０が上昇して外キャビネット内に昇降棚３０が完全に収容されるようになっている。
【００５１】
なお、リンク機構１０１の第２リンク１２０はこの係合欠き部側の一辺とリンクベース１３０の下端との間に接続された引っ張りバネ１４０の復元力によって係合切り欠き部１２５が引っ掛けピン３５に向かったまま待機している。そのため、昇降棚３０の上昇に合わせて引っ掛けピン３５が上昇すると、この係合切り欠き部１２５に引っ掛けピン３５が進入して両者が係合する。
【００５２】
更に昇降棚３０が上昇すると、引っ掛けピン３５によってリンク機構１０１の第２リンク１２０が図５中反時計方向に回転し、図４に示すようにリンク機構１０１の第１リンク１１０と第２リンク１２０の扉側半部との突っ張りが無くなり、第２リンク１２０の回動軸１３１と第１リンク１１０の押し出しピン１１１との距離も短くなり、これに応じて扉１０も開き状態から初期の閉じ状態に戻る。その結果、昇降装置４０によって昇降棚３０が完全に上昇した時点で昇降棚３０は外キャビネット内に収容されると同時に扉１０も閉まるようになる。
【００５３】
続いて、このように動作する電動昇降キャビネット１の昇降棚３０が上限位置、即ち外キャビネット内に収容された状態で、停電が起こった場合について説明する。このような場合には、使用者は、図７に示すように扉１０を開き方向に引っ張る。これによって保持部１５０のガイドスリット１５２の扉側端部に達していた第１リンク１１０の押し出しピン１１１が保持部１５０のガイドスリット１５２に沿って移動した後、挿入開口部１５１に近づく。
【００５４】
この状態で使用者はリンク機構１０１の連結回動軸１２６を指で上方に押し上げることで、第１リンク１１０の押し出しピン１１１を保持部１５０の挿入開口部１５１から容易に外すことができる。これによってリンク機構１０１と保持部１５０の連結が解除され、扉１０は扉上端のヒンジ部１１を軸にして自由に回動するようになり、使用者は扉１０を自由に大きく開くことができる。
【００５５】
即ち、使用者は簡単な指先の動作だけで扉１０を大きく開くことができ、昇降棚内部に収容された食器を停電時であっても容易に取り出すことができるようになる。
【００５６】
その結果、従来の電動昇降キャビネットに関して停電時に必要とされていた昇降棚に備わったリンク機構と扉に備わったブラケットとの接続用の支点ピンやスナップピンを外す作業を省略することができ、たとえ停電時であっても食器等の出し入れを容易に行うことができるようになる。
【００５７】
続いて、このように動作する電動昇降キャビネット１の昇降棚３０を例えば洗浄する際に取り出す方法について説明する。昇降棚３０が下降するに伴って昇降棚３０の引っ掛け部材３５と第２リンク１２０の係合切り欠き部１２５との係合が解除し、昇降棚３０は開閉機構１００から外れて外キャビネット２０の天板２１に取付けられたベルト４６でつり下げられた状態でのみ支持される。
【００５８】
そして、この状態では扉１０を手で開けると、図８に示すように、押し出しピン１１１がガイドスリット１５２の挿入開口部側に達するまで扉１０が開く。この状態で第１リンク１１０と第２リンク１２０との連結回動軸１２６を例えば手の指を使って上方に押し上げると、保持部１５０の挿入開口部１５１から押し出しピン１１１が上方に離脱し、リンク機構１０１と保持部１５０の連結が解除される。これによって、扉１０は外キャビネット２０に対して開き角度が規制されなくなり、扉上端のヒンジ部１１を軸にして自由に回動するようになり、使用者は扉１０を自由に大きく開くことができる。そのため、使用者は扉１０を大きく開いた状態でベルト４６との係合をそれぞれ外すだけで、昇降棚自体を外キャビネット２０から簡単に取り外して洗浄等を行うことができるようになる。
【００５９】
その結果、上述した従来例に係る電動昇降キャビネットは、昇降棚に備わったリンク機構と扉に備わったブラケットとの接続部をなす支点ピンやスナップピンなどを取り除いた後、外キャビネットの昇降機構をなすベルトを昇降棚から外さなければ外キャビネットから昇降棚を取り出すことができないが、本実施形態にかかる電動昇降キャビネットはこのような複雑な取り外し作業を必要とせず、例えば昇降棚を洗浄する場合にも簡単に洗浄することができるようになる。
【００６０】
以上説明したように、本発明にかかる電動昇降キャビネットは、リンク部の手前側端部を上方から挿入可能とする挿入部を保持部が有することで、リンク部を保持部から挿入部を介して外すことができる。その結果、例えば停電時などにおいて昇降棚が上限位置で外キャビネットに収納されたままとなってしまっても、これらの間に介在した締結具等の連結部品を取り除くことなくリンク部を保持部から簡単に外して扉を開き、昇降棚内の収容物を容易に出し入れできる。
【００６１】
特に、一時的な停電の場合に限らず、震災のように電力などのライフラインが止まることによる長期的な停電が生じた場合に、高齢者や指先の不自由な者であっても日常使用している食器等をキャビネット内に収納されたままの昇降棚から容易に取り出して使うことができ、このような不測の事態にも対処することが可能となる。
【００６２】
また、本発明にかかる電動昇降キャビネットは、昇降棚が外キャビネットからの下降中にリンク部の扉の反対側端部と引っ掛け部材との係合が解除することで、下端に達した昇降棚を外キャビネットから容易に取り外すことができ、昇降棚自体の洗浄等を行い易くし、電動昇降キャビネットを常に衛生上優れた状態で使用することができる。
【図面の簡単な説明】
【００６３】
【図１】本発明の一実施形態にかかる電動昇降キャビネットを、扉を外した状態で示す正面図である。
【図２】図１に示した電動昇降キャビネット内部の側面図で、昇降棚が外キャビネットに収納されている状態を示している。
【図３】図１に示した電動昇降キャビネットの操作部を示す平面図である。
【図４】図１に示した電動昇降キャビネットの開閉機構を、昇降棚が収納されている状態で示す側面図である。
【図５】図１に示した電動昇降キャビネットの開閉機構を、昇降棚が収納状態より若干下降した状態で示す側面図である。
【図６】図１に示した電動昇降キャビネット内部の側面図で、昇降棚が収納状態からある程度下降した状態を示している。
【図７】図１に示した電動昇降キャビネット内部の側面図で、昇降棚が収納状態のまま扉を最大開き位置まで開いた状態を示している。
【図８】図１に示した電動昇降キャビネット内部の側面図で、昇降棚が収納状態からある程度下降したまま扉を最大開き位置まで開いた状態を示している。
【符号の説明】
【００６４】
１    電動昇降キャビネット
１１    ヒンジ部
１０    扉
２０    外キャビネット
２１    天板
２２    裏板
２３    側板
２４    ガイド
２５    定滑車固定板
２８    ベルト固定ピン
３０    昇降棚
３１    天板
３３    側板
３４    スライドプレート
３５    引っ掛けピン
３９    連結プレート
４０    昇降装置
４１    昇降モータ
４２    制御ボックス
４３    定滑車固定板
４５    巻取りドラム
４６    ベルト
４８    定滑車
４９    動滑車
５０    操作部
５１    電源スイッチ
５２    上昇スイッチ
５３    下降スイッチ
１００    開閉機構
１０１    リンク機構
１１０    第１リンク
１１１    押し出しピン
１２０    第２リンク
１２５    係合切り欠き部
１２６    連結回動軸
１３０    リンクベース
１３１    回動軸
１３６    ストッパ
１４０    引っ張りバネ
１５０    保持部
１５１    挿入開口部
１５２    ガイドスリット
１５９    取付け部
Ａ    空間
Ｗ    壁
【図１】
2007215640.tif 000003
【図２】
2007215640.tif 000004
【図３】
2007215640.tif 000005
【図４】
2007215640.tif 000006
【図５】
2007215640.tif 000007
【図６】
2007215640.tif 000008
【図７】
2007215640.tif 000009
【図８】
2007215640.tif 000010